(57)【要約】  ドラム洗濯機において、筐体（１）、外槽（２）及び内槽（３）を含み、前記内槽（３）は孔が開設された有孔域（４）と密閉された無孔域（５）を含み、前記有孔域（４）の少なくとも一方の側で内槽（３）と外槽（２）の間には密封ユニット（６）が設けられており、前記密封ユニット（６）と内槽（３）の無孔域（５）及び外槽（２）との間には密封領域（８）が形成されている。洗濯機は、内槽（３）の有孔域（４）によって給排水を効果的に実現可能であるとともに、洗い流しやすいため残留が回避される。また、内槽（３）の無孔域（５）と密封ユニット（６）が連携することで、内槽と外槽の間に密封領域（８）を形成可能となるため、洗浄汚水の流入が効果的に防止される結果、内槽と外槽の間への汚れの堆積が回避される。このような汚れ防止型の洗浄方式により、ドラム洗濯機におけるクリーニングを不要とする。【選択図】図１
2019536512.tif 000002
【特許請求の範囲】
【請求項１】
筐体、外槽及び内槽を含むドラム洗濯機において、
前記内槽は孔が開設された有孔域と密閉された無孔域を含み、前記有孔域の少なくとも一方の側で内槽と外槽の間には密封ユニットが設けられており、前記密封ユニットと内槽の無孔域及び外槽との間に密封領域が形成されることを特徴とするドラム洗濯機。
【請求項２】
前記密封ユニットは、外槽の内壁に固着するとともに、内槽の外壁に対し動的な密封を行うことを特徴とする請求項１に記載のドラム洗濯機。
【請求項３】
前記密封ユニットと内槽の有孔域及び外槽との間には給排水空間が形成されており、前記給排水空間は内槽の内部と連通していることを特徴とする請求項１又は２に記載のドラム洗濯機。
【請求項４】
前記筐体と外槽の間には給水管路と排水管路が設けられており、前記給水管路と排水管路はそれぞれ前記給排水空間と連通していることを特徴とする請求項３に記載のドラム洗濯機。
【請求項５】
前記給水管路の排水口は給排水空間の外槽壁に設けられるとともに、内槽上部の有孔域に対応しており、
前記排水管路の給水口は給排水空間の外槽壁に設けられるとともに、内槽下部の有孔域に対応していることを特徴とする請求項４に記載のドラム洗濯機。
【請求項６】
前記内槽の有孔域は投入口寄りの一端に設けられ、前記有孔域のうち投入口から離間する側に密封ユニットが設けられており、前記密封ユニットと内槽の無孔域及び外槽との間には密封領域が形成されていることを特徴とする請求項１に記載のドラム洗濯機。
【請求項７】
前記密封ユニットと、洗濯機における覗き窓の窓ガスケット、内槽の有孔域及び外槽との間に給排水空間が形成され、洗濯機の給水管路と排水管路がそれぞれ前記給排水空間と連通していることを特徴とする請求項６に記載のドラム洗濯機。
【請求項８】
前記内槽の無孔域の内表面には、水を無孔域から有孔域に案内する導流構造が設けられていることを特徴とする請求項１〜７のいずれかに記載のドラム洗濯機。
【請求項９】
洗浄プログラム、すすぎプログラム及び脱水プログラムを少なくとも含む請求項１〜８のいずれかに記載のドラム洗濯機の制御方法において、
洗濯機が洗浄プログラム又はすすぎプログラムを実行して給水する場合には、水が内槽の有孔域から無孔域へと進入し、
洗濯機が排水又は脱水プログラムを実行する場合には、水が無孔域から有孔域へと進入することを特徴とする制御方法。
【請求項１０】
前記洗浄プログラム又はすすぎプログラムの終了後に、洗濯機は給水して給排水空間を洗浄し、汚水をしっかりときれいに洗い流すことを特徴とする請求項９に記載の制御方法。
【発明の詳細な説明】
【技術分野】
【０００１】
本発明は家電分野に属し、具体的には、ドラム洗濯機及び制御方法に関する。
【背景技術】
【０００２】
従来のドラム洗濯機における内槽と外槽の間はユーザにとって密封領域となっており、直接クリーニングすることができない。一定期間使用すると、この領域にはある程度の汚れが付着して堆積し、長期間にわたってクリーニングしなければ、洗濯過程で衣類に二次汚染が生じてしまう。結果、洗濯機内に異臭が発生するだけでなく、洗浄後の衣類の二次汚染によって健康にも影響が及ぶ。
【０００３】
現在、洗濯機の内槽及び外槽のクリーニングには、主として次のような処理方法がある。
１．水流で内槽を洗い流すことで、内槽に付着した汚れを減少させる。
２．定期的に槽洗浄剤を用いて洗濯機を薬剤洗浄し、汚れを除去する。
３．パルセータ洗濯機の場合には、孔無し内槽を採用することで汚れが回避されるが、内槽と外槽の間の埃の堆積は不可避である。
【０００４】
しかし、これらのクリーニング方式には次のような欠点がある。まず、水流では清潔且つ徹底的に洗い流すことができない。次に、薬剤洗浄は長時間を要し、手間がかかるほか、コストも嵩む。また、パルセータの孔無し槽間は排水経路となるため汚れが残ってしまう。
【０００５】
特許文献１は、本発明に関連するドラム洗濯機について開示している。当該ドラム洗濯機は筐体を含み、筐体内に内槽と外槽が設けられている。外槽と筐体の間にはドアシールが設けられており、内槽は駆動装置に接続されている。前記内槽は孔無し内槽である。且つ、前記内槽は、槽底部分の直径が小さく、槽口部分の直径が大きな錐状槽をなしている。内槽の槽口部分は内側に向かって円弧状に収縮している。また、前記ドアシールには給水導管が設けられている。給水導管の一端は洗浄水急速加熱装置に接続されており、給水導管の他端はドアシールを貫通して内槽に伸入している。前記外槽には排水口と水圧検出装置が設けられている。当該技術では孔無し内槽を採用しているが、解決しようとする課題は洗浄用水の節約についてである。また、外槽に排水孔が設けられているため、底部の内槽と外槽の間にやはり汚れが残ってしまい、存在する課題は解決されない。
【０００６】
これらに鑑みて、本発明を提案する。
【先行技術文献】
【特許文献】
【０００７】
【特許文献１】中国特許出願第２０１４１０２１５３４６．３号明細書
【発明の概要】
【発明が解決しようとする課題】
【０００８】
本発明は、従来技術における瑕疵を解消し、クリーニングが不要なドラム洗濯機を提供することを解決すべき技術的課題とする。本発明の洗濯機は、内槽の有孔域によって給排水を効果的に実現可能であるとともに、洗い流しやすいため残留が回避される。また、内槽の無孔域と密封ユニットが連携することで、内槽と外槽の間に密封領域を形成可能となるため、洗浄汚水の流入が効果的に防止される結果、内槽と外槽の間への汚れの堆積が回避される。このような汚れ防止型の洗浄方式により、ドラム洗濯機におけるクリーニングを不要とする。
【課題を解決するための手段】
【０００９】
上記の技術的課題を解決すべく、本発明で採用する技術方案の基本思想について以下に述べる。
【００１０】
本発明の第１の目的は、筐体、外槽及び内槽を含み、前記内槽は孔が開設された有孔域と密閉された無孔域を含み、前記有孔域の少なくとも一方の側で内槽と外槽の間には密封ユニットが設けられており、前記密封ユニットと内槽の無孔域及び外槽との間に密封領域が形成されるドラム洗濯機を提供することである。
【００１１】
更に、前記密封ユニットは、外槽の内壁に固着するとともに、内槽の外壁に対し動的な密封を行う。
【００１２】
更に、前記密封ユニットと内槽の有孔域及び外槽との間には給排水空間が形成されており、前記給排水空間は内槽の内部と連通している。
【００１３】
更に、前記筐体と外槽の間には給水管路と排水管路が設けられており、前記給水管路と排水管路はそれぞれ前記給排水空間と連通している。
【００１４】
更に、前記給水管路の排水口は給排水空間の外槽壁に設けられるとともに、内槽上部の有孔域に対応しており、前記排水管路の給水口は給排水空間の外槽壁に設けられるとともに、内槽下部の有孔域に対応しており、前記排水管路には排水ポンプが設けられている。
【００１５】
更に、前記内槽の有孔域は投入口寄りの一端に設けられ、前記有孔域のうち投入口から離間する側に密封ユニットが設けられており、前記密封ユニットと内槽の無孔域及び外槽との間には密封領域が形成されている。
【００１６】
更に、前記密封ユニットと、洗濯機における覗き窓の窓ガスケット、内槽の有孔域及び外槽との間に給排水空間が形成され、洗濯機の給水管路と排水管路がそれぞれ前記給排水空間と連通している。
【００１７】
更に、前記内槽の無孔域の内表面には、水を無孔域から有孔域に案内する導流構造が設けられている。
【００１８】
本発明の第２の目的は、前記ダブルドラム洗濯機の制御方法であって、洗浄プログラム、すすぎプログラム及び脱水プログラムを少なくとも含み、洗濯機が洗浄プログラム又はすすぎプログラムを実行して給水する場合には、水が内槽の有孔域から無孔域へと進入し、洗濯機が排水又は脱水プログラムを実行する場合には、水が無孔域から有孔域へと進入する。
【００１９】
更に、前記洗浄プログラム又はすすぎプログラムの終了後に、洗濯機は給水して給排水空間を洗浄し、汚水をしっかりときれいに洗い流す。
【発明の効果】
【００２０】
上記の技術方案を用いることで、本発明は従来技術と比較して以下の有益な効果を有する。
【００２１】
（１）本発明における洗濯機の内槽は有孔域と無孔域を含む。即ち、内槽には一部にのみ給排水孔が設けられている。また、内槽の無孔域と密封ユニットが連携することで、内槽と外槽を効果的に隔離可能であり、洗浄汚水の流入が防止される。これにより、内槽と外槽の間への汚れの堆積が回避され、汚れ防止型の洗浄方式が実現される。
【００２２】
（２）本発明における内槽の有孔域によって給排水を効果的に実現可能である。且つ、洗浄又はすすぎ等のプログラムにおいて排水した後、給排水のための給排水空間を容易に洗い流すことが可能なため、汚れの残留が更に回避される。
【００２３】
（３）本発明における内槽の有孔域は、胴体先端の投入口付近に設けられることが好ましい。この場合には、従来の洗濯機の給排水システムと組み合わせることが可能であり、且つ、一か所の密封ユニットだけで内槽と外槽の隔離が実現可能となる。また、従来の洗濯機を元に変更、追加すればよいため、変更コストが抑えられ、実現しやすい。
【００２４】
以下に、図面を組み合わせて、本発明の具体的実施形態につき更に詳細に述べる。
【００２５】
図面は本発明の一部として、本発明の更なる理解のために提供される。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００２６】
【図１】図１は、本発明のドラム洗濯機の構造を示す図である。
【発明を実施するための形態】
【００２７】
上記の図面及び文字記載は何らかの方式で本発明の構想の範囲を制限する意図ではなく、特定の実施例を参考として当業者に本発明の概念を説明するためのものである。
【００２８】
本発明における実施例の目的、技術方案及び利点をより明確とすべく、以下では本発明の実施例にかかる図面を組み合わせて実施例の技術方案につき明瞭簡潔に述べる。なお、以下の実施例は本発明を説明するためのものであって、本発明の範囲を制限するものではない。
【００２９】
本発明の記載において、「上」、「下」、「前」、「後」、「左」、「右」、「垂直」、「内」、「外」等の用語で示される方向又は位置関係は、図面に基づく方向又は位置関係であり、本発明の記載の便宜上及び記載の簡略化のためのものにすぎず、対象となる装置又は部材が特定の方向を有し、且つ特定の方向で構成及び操作されることを明示又は暗示するものではない。よって、本発明を制限するものと理解すべきではない。
【００３０】
本発明の記載において、別途明確に規定及び限定しない限り、「装着する」、「連なる」、「接続する」との用語は広義に解釈すべきである。例えば、固定接続であってもよいし、取り外し可能な接続であってもよいし、一体接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。
【実施例１】
【００３１】
図１に示すように、本実施例はクリーニングが不要なドラム洗濯機を提供する。当該ドラム洗濯機は、筐体１、外槽２及び内槽３を含む。前記内槽３は、孔が開設された有孔域４と密閉された無孔域５を含む。前記有孔域４の少なくとも一方の側で内槽と外槽の間には密封ユニット６が設けられている。前記密封ユニット６と内槽の無孔域及び外槽との間には密封領域８が形成されている。
【００３２】
従来の洗濯機は、内槽と外槽の間の領域に水を蓄積可能なことから汚れが堆積しやすいにも関わらず、直接クリーニングすることができなかった。また、従来の手法では徹底的なクリーニングが不可能であり、且つ、時間も労力もかかってしまう。これに対し、本発明のドラム洗濯機の内槽は、一部の槽壁にのみ有孔域として開孔が設けられており、その他の部分は密閉された無孔域となっている。内槽の有孔域の開孔は給水及び排水のために用いられる。洗濯機の効果的な給排水を実現するために、開孔は一周又は複数周設ければよい。また、内槽の無孔域を内槽と外槽の間の密封領域を形成するために用いることで、汚水の進入が防止され、汚れの堆積が根絶する。
【００３３】
本実施例の内槽には密封ユニットを係設し、有孔域と外槽の間の領域と、無孔域と外槽の間の領域とを密封遮断して汚水の流入を防止する必要がある。密封ユニットと内槽の無孔域及び外槽との間に密封領域が形成されるよう、密封ユニットは内槽の有孔域の一方の側又は両端に設けられる。密封ユニットの位置及び数を設定することで、密封領域の大きさを調整可能となる。内槽の有孔域は、投入口寄りの一端といった内槽の一端に設けてもよいし、内槽の中央に設けてもよい。また、密封ユニットの位置は有孔域の位置に従って設けられる。有孔域が内槽の先端に設けられる場合、即ち、投入口寄りの一端に設けられる場合には、有孔域の後端に密封ユニットを設けることで、内槽の中央部及び後部における無孔域と外槽との間に無水の密封領域が形成される。
【００３４】
更に、前記密封ユニット６は、外槽２の内壁に固着するとともに、内槽３の外壁に対し動的な密封を行う。
【００３５】
本実施例の密封ユニットは、どのような固定可能な方式で外槽の内壁に固着してもよい。また、密封ユニットは、内槽と外槽との距離に対応して、内槽の外壁に対し動的な密封を行うことから、内槽が回動しても密封を実現したままにできる。且つ、取り付けやすく、交換も容易である。
【００３６】
本実施例の密封ユニットは、パッキンと固定部材を含む。パッキンは固定部材を介して外槽の内壁に接続される。なお、固定部材としてはボルト等が可能である。パッキンは、固定リング、接続部、動的シールリング及び予圧リングを含む。固定リングと動的シールリングは接続部を介して接続される。また、固定リング、接続部及び動的シールリングは一体的に成形される。固定リングは動的シールリングの外環に設けられ、外槽の内壁に接続される。動的シールリングの内壁は内槽の外壁に対し動的な密封を行う。動的シールリングの外壁には予圧リングが設けられており、予圧リングが密封ユニットの予圧に用いられる。
【実施例２】
【００３７】
図１に示すように、本実施例は実施例１を更に限定する。前記密封ユニット６と内槽の有孔域４及び外槽２との間には、給水及び排水のための給排水空間９が形成されている。前記給排水空間９は内槽の内部と連通している。
【００３８】
密封ユニットは、有孔域の一方の側又は両端に設けられて密封領域を形成するとともに、内槽の有孔域及び外槽との間に給水及び排水のための給排水空間を形成可能である。当該給排水空間は、有孔域の開孔を介して内槽の内部と連通しており、洗濯機の給水及び排水を実現するために用いられる。有孔域が投入口寄りの一端に設けられる場合には、有孔域のうち投入口から離間する側に密封ユニットを設ければよい。この場合、給排水空間は、覗き窓の窓ガスケット、内槽の有孔域、外槽及び密封ユニットから形成される。また、密封ユニットと内槽の無孔域及び外槽との間に密封領域が形成される。
【００３９】
更に、前記筐体１と外槽２の間には給水管路１０と排水管路１１が設けられており、前記給水管路１０と排水管路１１がそれぞれ前記給排水空間９と連通している。
【００４０】
洗濯機の給水管路と排水管路は筐体と外槽の間に設けられ、内槽と外槽の間に形成される給排水空間と連通することで、洗濯機の給水及び排水を実現する。給水管路と排水管路は給排水空間の外槽壁を貫通し、給排水空間に懸架されるとともに、開口が内槽の有孔域に対応していてもよいし、給排水空間を形成する外槽壁に給水管路と排水管路の開口を直接設け、開口を内槽の有孔域に対応させてもよい。洗浄又はすすぎ時には、排水後に給水することで当該給排水空間を洗い流すことが可能である。給排水空間は体積が小さく、内槽との接触面積も小さいことから、水でしっかりときれいに洗い流すことが可能であり、汚水の残留が回避される。
【００４１】
更に、前記給水管路１０の排水口は給排水空間９の外槽壁に設けられるとともに、内槽上部の有孔域４に対応している。また、前記排水管路１１の給水口は給排水空間９の外槽壁に設けられるとともに、内槽下部の有孔域４に対応している。
【００４２】
給水管路は洗濯機の上端に設けられる。また、給水管路の排水口は給排水空間の外槽壁に設けられるとともに、内槽上部の有孔域に対応している。この場合、水流は上端から流れ込むため衣類を浸水させるのに有利である。且つ、排水後に給水して給排水空間を洗い流し、汚水の残留を除去するのにも有利となる。排水管路は洗濯機の下方に設けられる。また、排水管路の給水口は給排水空間の外槽壁に設けられるとともに、内槽下部の有孔域に対応している。そのため、洗浄水の集約と排出に有利である。
【００４３】
排水管路には、排水ポンプ１４を設けて排水のための動力を供給してもよいし、排水弁を設けて水流の排出を制御してもよい。
【実施例３】
【００４４】
図１に示すように、本実施例における内槽３の有孔域４は投入口寄りの一端に設けられ、前記有孔域のうち投入口から離間する側に密封ユニット６が設けられている。前記密封ユニット６と内槽の無孔域５及び外槽２との間には密封領域が形成されている。
【００４５】
また、内槽の有孔域を投入口寄りの一端に設けるとともに、その他の部位を無孔域とする。より好ましくは、内槽の有孔域をドラム洗濯機の胴体の前フランジ部分に設け、開孔を一周又は複数周設ける。この場合、有孔域のうち投入口から離間した側に密封ユニットを設けるだけで、密封ユニットと内槽の無孔域及び外槽との間に密封領域が形成される。これによれば、大部分の内槽と外槽の間に汚水の進入を防止するクリーニング不要領域が形成される。
【００４６】
更に、前記密封ユニット６と、洗濯機における覗き窓１２の窓ガスケット１３、内槽の有孔域４及び外槽２との間に給排水空間が形成され、洗濯機の給水管路１０と排水管路１１がそれぞれ前記給排水空間９と連通する。
【００４７】
内槽の有孔域は投入口寄りの一端に設けられる。好ましくは、内槽の有孔域をドラム洗濯機の胴体の前フランジ部分に設け、従来の洗濯機における覗き窓の窓ガスケット、内槽の有孔域及び一か所の密封ユニットによって給水及び排水のための給排水空間を形成するとともに、給水管路及び排水管路を給排水空間と連通させて、給水及び排水に用いればよい。この場合には、従来の洗濯機の給排水システムと組み合わせることが可能であり、且つ、一か所の密封ユニットだけで内槽と外槽の隔離を実現可能となる。また、従来の洗濯機を元に変更、追加すればよいため、変更コストが抑えられ、実現しやすい。
【実施例４】
【００４８】
本実施例における内槽の無孔域の内表面には、水を無孔域から有孔域に案内する導流構造が設けられている。
【００４９】
内槽の無孔域に導流溝等の導流構造を設け、水を無孔域から有孔域に案内して排水することで、排水効果が強化されるため、排水効率が向上し、水の蓄積が回避される。
【実施例５】
【００５０】
本実施例は、上述したクリーニングが不要なドラム洗濯機の制御方法を提供する。当該制御方法は、洗浄プログラム、すすぎプログラム及び脱水プログラムを少なくとも含む。洗濯機が洗浄プログラム又はすすぎプログラムを実行して給水する場合には、水が内槽の有孔域４から無孔域５へと進入する。また、洗濯機が排水又は脱水プログラムを実行して排水する場合には、水が無孔域５から有孔域４へと進入する。
【００５１】
洗浄プログラム又はすすぎプログラムが起動すると、水道水は給水管路を経由して外槽と内槽の有孔域との間の給排水空間に進入し、有孔域から内槽に流れ込んで無孔域へと進入する。また、排水時又は脱水プログラムの起動時には、内槽の水が無孔域から有孔域へと進入する。或いは、導流構造に案内されて、無孔域から有孔域へと進入し、有孔域を経由して底部の給排水空間に進入してから、排水管路より排出される。このように、洗濯機の給水及び排水を効果的に実現可能であるとともに、大部分の内槽と外槽との間の密封領域に汚水の進入がなくなるため、汚れの堆積が回避され、更にクリーニングの必要がなくなる。
【００５２】
更に、前記洗浄プログラム又はすすぎプログラムの終了後に、洗濯機は給水して給排水空間を洗浄し、汚水をしっかりときれいに洗い流す。
【００５３】
洗浄又はすすぎが終了し、排水した後に、洗濯機は再び給水して内槽と外槽の間の給排水空間を洗浄するため、残留した汚水をいっそうきれいに洗い流すことが可能となり、残留が回避される。
【００５４】
洗浄過程：
給水：洗浄時には覗き窓１２を閉止し、水道水を給水管路１０から外槽と内槽の有孔域との間に進入させて給排水空間９を洗い流す。水は、内槽の有孔域４を通じて適切な水位となるまで洗濯機の内槽３に進入する。このとき、密封領域８には水が進入せず、給排水空間９と内槽３の内部に水が存在する。
【００５５】
洗浄及び排水：給水が完了すると、モータが一定の回転停止比のプログラムで内槽に洗浄を実施させる。洗浄が終了すると、排水ポンプを起動して排水し、内槽の洗浄水を有孔域４の給排水孔から給排水空間の底部の低位へと進入させて排水管路１１から排出する。
【００５６】
洗い流し：洗濯機の給水管路１０から給水し、給排水空間を洗浄することで、汚水をしっかりときれいに洗い流す。遊離水は排水管路１１から排出される。
【００５７】
脱水：内槽３が脱水を実施する。内槽３の内表面の導流構造によって水を内槽の無孔域５から有孔域４へと案内し、給排水空間の下部の低位から排水管路１１へと進入させて排水する。
【００５８】
このあと、以上の過程を繰り返し、洗浄が終了するまですすぎを行う。
【００５９】
以上は本発明の好ましい実施例にすぎず、本発明を何らかの形式に限定するものではない。本発明については好ましい実施例によって上記のように開示したが、本発明を限定するとの主旨ではなく、本発明の技術方案を逸脱しない範囲において、当業者が上記で提示した技術内容を用いて行うわずかな変形或いは補足は、同等に変形された等価の実施例とみなされる。本発明の技術方案の内容を逸脱することなく、本発明の技術的本質に基づいて上記の実施例に加えられる簡単な修正、同等の変形及び補足は、いずれも本発明の方案の範囲内とされる。
【符号の説明】
【００６０】
１  筐体
２  外槽
３  内槽
４  有孔域
５  無孔域
６  密封ユニット
７  給排水孔
８  密封領域
９  給排水空間
１０  給水管路
１１  排水管路
１２  覗き窓
１３  窓ガスケット
１４  排水ポンプ
【図１】
2019536512.tif 000003
【国際調査報告】
2019536512.tif 000004
2019536512.tif 000005
2019536512.tif 000006
2019536512.tif 000007